(57)【要約】【課題】石鹸内に真珠を埋設し、石鹸の使用による消耗後に取り出した真珠を用いて、身に付ける装飾品を作ることができるという楽しみが得られるようにし、石鹸に新たな価値を与えることで購買意欲を引き出すことができる固形石鹸を提供する。【解決手段】石鹸２の内部に真珠３を浮かした状態で埋設し、石鹸２の使用による消耗後に真珠３を取り出し、この真珠３を用いて身に付ける装飾品を作る。【選択図】　図１
0003098374.tif 000002
【実用新案登録請求の範囲】
【請求項１】
石鹸の内部に真珠を埋設した固形石鹸。
【請求項２】
石鹸の内部に真珠とこの真珠が内側に納まる貝殻を埋設した固形石鹸。
【請求項３】
上記石鹸が透明石鹸である請求項１又は２に記載の固形石鹸。
【請求項４】
透明石鹸の内部に真珠とこの真珠と関連付けたデザインの装飾物を埋設した固形石鹸。
【考案の詳細な説明】
【０００１】
【考案の属する技術分野】
この考案は、石鹸の内部に真珠を埋設しておき、石鹸の使用による消耗後にこの真珠を取り出して装飾品に使用することができるようにした固形石鹸に関する。
【０００２】
【従来の技術】
従来より、透明な石鹸の内部に石鹸とは異なる材質の装飾物や表示物を埋設し、見た目の装飾性を向上させて商品に付加価値を与え、購買者の注意を引くことで購買意欲を高めたり、情報の媒体として利用するようにした固形石鹸はすでに提案されている（例えば、特許文献１と特許文献２参照）。
【０００３】
【特許文献１】
特開平８−２４５９９８号公報（第１頁、図１、図２）
【特許文献２】
特開平９−２２２６６号公報（第１頁、図１乃至図５）
【０００４】
【考案が解決しようとする課題】
ところで、従来の内部に装飾物や表示物を埋設した固形石鹸は、石鹸の使用による消耗後に取り出される装飾物や表示物は、その目的を終えることになり、取り出した後に特段の用途がないため投棄されるのが現状であり、資源的にも経済的にも無駄が生じている。
【０００５】
また、内部に装飾物を埋設した固形石鹸においては、見た目の装飾性が向上することで購買者の注意を引くことはできるが、取り出した装飾物を有効に生かすという考えがないため、購買者にいま一つ訴えるものがない。
【０００６】
そこで、この考案の課題は、石鹸内に真珠を埋設することにより、石鹸の使用による消耗後に取り出した真珠を用いて、身に付ける装飾品を作ることができるという楽しみが得られるようにし、石鹸に新たな価値を与えることで購買意欲を引き出すことができ、しかも、資源の無駄を省くことができる固形石鹸を提供することにある。
【０００７】
【課題を解決するための手段】
上記のような課題を解決するため、請求項１の考案は、石鹸の内部に真珠を埋設した構成を採用したものである。
【０００８】
請求項２の考案は、石鹸の内部に真珠とこの真珠が内側に納まる貝殻を埋設した構成を採用したものである。
【０００９】
請求項３の考案は、請求項１又は２の考案において、上記石鹸が透明石鹸である構成を採用したものである。
【００１０】
請求項４の考案は、透明石鹸の内部に真珠とこの真珠と関連付けたデザインの装飾物を埋設した構成を採用したものである。
【００１１】
ここで、石鹸は、一般的な手洗い用の石鹸、浴用石鹸、薬用石鹸、化粧用の洗顔石鹸等を挙げることができ、各石鹸は透明でも不透明の何れでもよく、透明の場合は、埋設した真珠が目視によって確認できるので、自分の好きな色や大きさの真珠が入っている石鹸をチョイスして購入することができ、また、不透明の場合は、内部の埋設真珠が見えないので、パッケージ等に真珠が埋設されていることを明記しておけば、石鹸の消耗後の真珠の取り出し時に、どのような真珠が出てくるのか、期待感が大きく膨らむことになる。
【００１２】
また、真珠は本真珠と人口真珠の何れでもよく、色や形及び大きさは任意に選択することができ、この真珠には、無垢の真珠だけでなく、ネックレス等を作ることができるように、貫通孔を加工したものを用いることができ、また、石鹸内に埋設する数は自由に増減することができる。
【００１３】
上記真珠と関連付けたデザインの装飾物は、石鹸と同一材料でも、石鹸と異なる材料の何れでもよく、例えば、真珠を花や蕾に見立てた植物や、真珠を目にした動物等のデザインを採用することができる。
【００１４】
【考案の実施の形態】
以下、この考案の実施の形態を添付図面に基づいて説明する。
【００１５】
図１に示す第１の実施の形態の固形石鹸１は、石鹸２の内部に真珠３を浮かせた状態で埋設した構造になっている。
【００１６】
図２に示す第２の実施の形態の固形石鹸１は、石鹸２の内部に真珠３とこの真珠３が内側に納まる貝殻４を埋設した構造になっている。
【００１７】
図３に示す第３の実施の形態の固形石鹸１は、石鹸２の内部に真珠３とこの真珠３と関連付けたデザインの装飾物５を埋設した構造になっている。
【００１８】
上記各実施の形態において、石鹸２の材質や用途は、一般的な手洗い用の石鹸、浴用石鹸、薬用石鹸、化粧用の洗顔石鹸等を挙げることができ、各石鹸２は透明もしくは半透明、薄い着色状態の半透明でも、第１の実施の形態では不透明の何れでもよく、また、第１乃至第３の実施の形態において、石鹸２の外形は、図示のような薄い円軸形に限るものではなく、所望するデザインの意匠的な形状や大きさを採用することができる。
【００１９】
上記真珠３は、本真珠と人工真珠の何れでもよく、その色や形、大きさは任意に選択することができ、この真珠３は図示のようにネックレスの製作に対応するための貫通孔６を設けたものでも、ブローチや指輪を製作するための無垢のものでもよく、石鹸２内に埋設する数も任意に設定できる。
【００２０】
上記第２の実施の形態において、真珠３が内側に納まる貝殻４は、真珠３よりも少し大きめで見た目に綺麗な種類の貝を選択し、一枚の貝殻の内側に真珠３を取り外し可能に接着等の手段で固定した状態で石鹸２内に埋設されている。
【００２１】
上記第３の実施の形態において、真珠３と関連付けたデザインの装飾物５は、石鹸２と同一材料又は異なる材料の何れでも選択でき、色彩も石鹸２と同色と異色のどちらでもよく、この装飾物５のデザインは自由であるが、例えば、真珠３を花や蕾に見立てて配置した植物や、真珠３を目にした動物等のデザインを採用することができる。
【００２２】
上記した各実施の形態において、真珠３の石鹸２内への埋設は、例えば、型の内部に配置した真珠３を石鹸２と同質の支持部材で支持し、この型内に溶融した石鹸を流し込んで固化させれば、支持部材は石鹸と一体となることにより、石鹸２内に真珠３を浮かせた状態で埋設できる。
【００２３】
この考案の固形石鹸は、上記のような構成であり、各実施の形態において、石鹸２の内部に真珠３を埋設した固形石鹸１を販売する。
【００２４】
ここで、石鹸２が透明石鹸の場合、内部の真珠３が見える状態の包装形態を採用して販売することにより、自分の好みや集めている色柄や大きさの真珠が入っている固形石鹸１をチョイスして購入することができる。
【００２５】
また、石鹸２が不透明石鹸の場合、内部の真珠３が見えないので、パッケージ等に真珠が入っていることを明記することで購買者に知らせるようにすればよく、どのような真珠３が埋設されているのか、購買者に期待を持たせることができる。
【００２６】
上記第２の実施の形態のように、透明な石鹸２内に真珠３と貝殻４を埋設したものは、真珠３と貝殻４の光沢が見る人の目を奪い、購買者にアピールすることができ、また、第３の実施の形態のように、石鹸２内に真珠３と装飾物５を埋設したものは、真珠３の光沢と装飾物５のマッチングにより、見た目に美しい装飾性を得ることができ、この場合も、購買者の目を引いて購買欲を引き出すことができる。
【００２７】
上記のような各実施の形態の石鹸２は、使用による消耗により小さくなった時点で真珠３を取り出すことができ、取り出した真珠３はこれを用いて身に付ける装飾品に製作加工すればよく、装飾品としては、複数の真珠を集めることによりネックレスとしたり、単品でブローチや指輪を製作することができる。
【００２８】
なお、固形石鹸１の発売においては、パッケージや説明書等に、真珠３を装飾品に製作加工するための手法を細かく説明しておくようにする。
【００２９】
【考案の効果】
以上のように、この考案によると、石鹸の内部に真珠を埋設したので、石鹸の使用後に取り出した真珠を用いて身に付ける装飾品を製作することができるという楽しみが得られ、石鹸に新たな付加価値を与えることで購買意欲を引き出すことができ、しかも、埋設した真珠の有効利用により、資源の無駄を省くことができ、真珠を用いて身に付ける装飾品を製作加工するという新たな楽しみを生じさせることができる。
【００３０】
また、真珠を埋設した石鹸を透明石鹸とすることにより、真珠が外部から見えることになり、真珠の光沢により、見た目に美しい石鹸となり、この真珠と組み合わせて貝殻や関連付けたデザインの装飾物を埋設することにより、一段と装飾性が向上し、購買者にアピールすることができる。
【図面の簡単な説明】
【図１】（Ａ）はこの考案に係る固形石鹸の第１の実施の形態を示す斜視図、（Ｂ）は同縦断面図
【図２】（Ａ）はこの考案に係る固形石鹸の第２の実施の形態を示す斜視図、（Ｂ）は同縦断面図
【図３】（Ａ）はこの考案に係る固形石鹸の第３の実施の形態を示す斜視図、（Ｂ）は同縦断面図
【符号の説明】
１　固形石鹸
２　石鹸
３　真珠
４　貝殻
５　装飾物
６　貫通孔
【図１】
0003098374.tif 000003
【図２】
0003098374.tif 000004
【図３】
0003098374.tif 000005